(57)【要約】      （修正有）【課題】本考案は、汚れを簡単に除去することができ、衛生状態を保ちつつ使用することができるクッションパッドを提供する。【解決手段】クッションパッド１は、顔面のうち額に接触される直線状の額接触部２と、該額接触部２の直線方向の両端に連続されて両眼それぞれを囲む囲い部３と、を備え、額接触部２及び囲い部３は、発泡体と、発泡体の厚み方向Ｚの一方側に位置して、ヘッドマウントディスプレイの筐体に着脱可能に設けられる着脱面部１Ａと、発泡体の厚み方向Ｚの他方側に位置して、装着時に前記顔面に接触される接触面部１Ｂと、を有して構成され、接触面部１Ｂが合成皮革により構成されている。【選択図】図２
0003213221.tif 000002
【実用新案登録請求の範囲】
【請求項１】
ヘッドマウントディスプレイを装着する装着者の顔面との間に介在されるクッションパッドであって、
前記顔面のうち額に接触される直線状の額接触部と、該額接触部の直線方向の両端に連続されて両眼それぞれを囲む囲い部と、を備え、
前記額接触部及び前記囲い部は、発泡体と、前記発泡体の厚み方向の一方側に位置して、前記ヘッドマウントディスプレイに着脱可能に設けられる着脱面部と、前記発泡体の厚み方向の他方側に位置して、装着時に前記顔面に接触される接触面部と、を有して構成され、
前記接触面部が合成皮革により構成されていることを特徴とするクッションパッド。
【請求項２】
ヘッドマウントディスプレイを装着する装着者の顔面との間に介在されるクッションパッドであって、
前記顔面のうち額に接触される直線状の額接触部と、該額接触部の直線方向の両端に連続されて両眼それぞれを囲む囲い部と、を備え、
前記額接触部及び前記囲い部は、発泡体と、前記発泡体の厚み方向の一方側に位置して、前記ヘッドマウントディスプレイに着脱可能に設けられる着脱面部と、前記発泡体の厚み方向の他方側に位置して、装着時に前記顔面に接触される接触面部と、を有して構成され、
前記接触面部が人工皮革、合成繊維、または不織布により構成されていることを特徴とするクッションパッド。
【請求項３】
前記額接触部の厚みが、前記囲い部の厚みより厚くなるように形成されていることを特徴とする請求項１または請求項２に記載のクッションパッド。
【考案の詳細な説明】
【技術分野】
【０００１】
本考案は、クッションパッドに関する。
【背景技術】
【０００２】
バーチャルリアリティ（ＶＲ）体験等において、頭部装着型のディスプレイ（ヘッドマウントディスプレイ）が知られている。ヘッドマウントディスプレイは、ゴーグル型のヘッドマウントディスプレイ本体の内部に使用者の左右の眼に対応する２つのディスプレイが内蔵され、２つのディスプレイの映像に視差角をつけることで疑似立体視を可能としている。このようなヘッドマウントディスプレイはバンドを用いクッションパッドを介して使用者の頭部に固定される（特許文献１参照）。
【０００３】
特許文献１に開示された従来のクッションパッドは、ヘッドマウントディスプレイと使用者との間に介在されて、頭部に対するヘッドマウントディスプレイの装着位置を規定する。
【先行技術文献】
【特許文献】
【０００４】
【特許文献１】特開平０７−１８１４２２号公報
【考案の概要】
【考案が解決しようとする課題】
【０００５】
しかしながら、従来のクッションパッドは、使用者に直接接触される部材であるから、使用者の汗や皮脂、化粧品や整髪料等の汚れが付着することが考えられる。クッションパッドに付着した汚れを除去するために、ウェットティッシュ等で汚れを拭き取ることが考えられるが、クッションパッドがウレタンスポンジのような発泡体によって構成されている場合、汚れが内部まで浸透してしまうので、汚れを除去するのは困難だった。
【０００６】
本考案は、汚れを簡単に除去することができ、衛生状態を保ちつつ使用することができるクッションパッドを提供することを目的とする。
【課題を解決するための手段】
【０００７】
上記目的を解決するために本考案は以下の構成を備える。
【０００８】
即ち、請求項１に記載の本考案は、ヘッドマウントディスプレイを装着する装着者の顔面との間に介在されるクッションパッドであって、前記顔面のうち額に接触される直線状の額接触部と、該額接触部の直線方向の両端に連続されて両眼それぞれを囲む一対の囲い部と、を備え、前記額接触部及び囲い部は、発泡体と、前記発泡体の厚み方向の一方側に位置して、前記ヘッドマウントディスプレイに着脱可能に設けられる着脱面部と、前記発泡体の厚み方向の他方側に位置して、装着時に前記顔面に接触される接触面部と、を有して構成され、前記接触面部が合成皮革により構成されていることを特徴とするクッションパッドである。
【０００９】
請求項２に記載の本考案は、ヘッドマウントディスプレイを装着する装着者の顔面との間に介在されるクッションパッドであって、前記顔面のうち額に接触される直線状の額接触部と、該額接触部の直線方向の両端に連続されて両眼それぞれを囲む囲い部と、を備え、前記額接触部及び前記囲い部は、発泡体と、前記発泡体の厚み方向の一方側に位置して、前記ヘッドマウントディスプレイに着脱可能に設けられる着脱面部と、前記発泡体の厚み方向の他方側に位置して、装着時に前記顔面に接触される接触面部と、を有して構成され、前記接触面部が人工皮革、合成繊維、または不織布により構成されていることを特徴とするクッションパッドである。
【００１０】
請求項３に記載の本考案は、請求項１または請求項２に記載の本考案において、前記額接触部の厚みが、前記囲い部の厚みより厚くなるように形成されていることを特徴とする。
【考案の効果】
【００１１】
請求項１に記載の本考案によれば、クッションパッドにおいて、装着者の顔面に直接接触される接触面部が合成皮革により構成されているから、使用者の汗や皮脂、化粧品や整髪料等の汚れがクッションパッドの内部まで浸透することがないとともに、接触面部に汚れが付着したとしても、ウェットティッシュ等で簡単に汚れを拭き取ることができる。従って、汚れを簡単に除去することができ、衛生状態を保ちつつ使用することができる。
【００１２】
さらに、クッションパッドには、両眼それぞれを囲む略Ｃ字状の囲い部が設けられていることで、囲い部内への外部光の侵入を防止することができるとともに、額接触部及び囲い部により、ヘッドマウントディスプレイを安定的に支持することができる。
【００１３】
請求項２に記載の本考案によれば、クッションパッドにおいて、装着者の顔面に直接接触される接触面部が人工皮革、合成繊維、または不織布により構成されているから、接触面部に汚れが付着したとしても、汚れを洗い落とすことができる。従って、汚れを簡単に除去することができ、衛生状態を保ちつつ使用することができる。
【００１４】
請求項３に記載の本考案によれば、額接触部の厚みが、囲い部の厚みより厚くなるように形成されている。これによれば、額接触部が囲い部に比して、大きなクッション性を有して額にソフトに押し当てられるので、ヘッドマウントディスプレイを安定的に支持しつつ、長時間の使用においても装着感を損なわないようにすることができる。
【図面の簡単な説明】
【００１５】
【図１】本考案の一実施の形態にかかるクッションパッドがヘッドマウントディスプレイの筐体と使用者の顔面との間に介在された使用状態を示す斜視図である。
【図２】前記クッションパッドの非使用状態を示す斜視図である。
【図３】前記クッションパッドの非使用状態を示す平面図である。
【図４Ａ】図３中のＩ−Ｉ線に沿う断面図である。
【図４Ｂ】図３中のＩＩ−ＩＩ線に沿う断面図である。
【考案を実施するための形態】
【００１６】
以下、本考案の一実施の形態にかかるクッションパッドを、図１〜図４を参照して説明する。
【００１７】
図１は、本考案の一実施の形態にかかるクッションパッドがヘッドマウントディスプレイの筐体１０と使用者（装着者）の顔面との間に介在された使用状態を示す斜視図である。図２は、クッションパッドの非使用状態を示す斜視図である。図１、図２に示すように、クッションパッド１は、ヘッドマウントディスプレイの筐体１０とこれを装着する装着者（使用者）の顔面との間に介在されるものであり、ヘッドマウントディスプレイの筐体１０に着脱可能に設けられている。
【００１８】
クッションパッド１は、図２、図３に示すように、使用者の額に接触される直線状の額接触部２と、額接触部２の直線方向の両端２ａ、２ａに連続されて使用者の両眼それぞれを囲む略Ｃ字状の囲い部３と、を有して形成されている。なお、図２〜図４において、額接触部２の直線方向をＸ方向（左右方向）とし、額接触部２の幅方向をＹ方向（上下方向）とし、額接触部２の厚み方向をＺ方向（前後方向）とする。
【００１９】
また、クッションパッド１は、可撓性を有して構成され、ヘッドマウントディスプレイの筐体１０と使用者との間に介在された使用状態では、各囲い部３が使用者の頭部の形状に沿うように湾曲されている。即ち、クッションパッド１は、使用状態では、図１に示すように、各囲い部３が使用者の頭部の形状に沿うように湾曲されており、非使用状態（自然状態）では、図２に示すように、全体がＸＹ方向の平面に沿っている。
【００２０】
囲い部３は、額接触部２の直線方向の両端２ａ、２ａに連続される一対の側方円弧部３１、３１と、一対の側方円弧部３１、３１それぞれに連続されるとともに額接触部２と略平行に設けられた一対の平行直線部３２、３２と、一対の平行直線部３２、３２それぞれに連続されるとともに、上方に向けて湾曲されて鼻当てとして機能する一対の鼻当て用湾曲部３３、３３と、を備えている。この囲い部３は、使用者が眼鏡をかけていた場合には、眼鏡を内部に位置させる程度の大きさを有している。
【００２１】
また、クッションパッド１は、図３、図４Ａ、図４Ｂに示すように、非使用状態で、額接触部２の厚みＬ１が、囲い部３の側方円弧部３１の位置の厚みＬ２より厚くなるように形成されている。なお、本実施形態では、クッションパッド１は、非使用状態で、額接触部２の厚みＬ１が、囲い部３の何れの位置の厚みより厚くなるように形成されている。
【００２２】
このようなクッションパッド１は、非使用状態で、所定の幅を有する帯状の部材を使用者の顔面の所定の位置に装着されるような形状（図３に示す形状、以下ではクッション形状１ａと記す）に形成されている。また、クッションパッド１は、ヘッドマウントディスプレイの筐体１０に着脱可能に設けられる着脱面部１Ａと、装着時に顔面に接触される接触面部１Ｂと、着脱面部１Ａ及び接触面部１Ｂの間に封入される発泡体１Ｃと、を備えて構成されている。着脱面部１Ａ、接触面部１Ｂ及び発泡体１Ｃは、非使用状態において、平面視が略等しい形状（クッション形状１ａ）となるように形成されている。
【００２３】
着脱面部１Ａは、面ファスナーの一方を有して構成され、ヘッドマウントディスプレイの筐体１０に取り付けられた面ファスナーの他方に着脱されるように構成されている。なお、着脱面部１Ａとヘッドマウントディスプレイの筐体１０は、例えば両面テープ等により着脱可能に設けられていてもよい。
【００２４】
接触面部１Ｂは、樹脂製の合成皮革により構成されている。合成皮革は、布地を基材とし、ポリ塩化ビニル・ポリウレタン等の合成樹脂を塗布することで形成される。合成皮革は、撥水性を有しているとともに、通気性がなく、水を吸わない構造であるため、使用者の汗や皮脂、化粧品や整髪料等の汚れがクッションパッド１の内部まで浸透することがないとともに、汚れが付着したとしても、ウェットティッシュ等で簡単に汚れを拭き取ることができる。
【００２５】
発泡体１Ｃは、ポリエチレンフォームで構成されているが、軟質ウレタンフォーム（発泡ポリウレタン）、軟質スチレンフォーム（発泡ポリスチレン）、等から構成されていてもよい。軟質ウレタンフォームは、ポリオールとポリイソシアネートとを主成分として、発泡剤、整泡剤、触媒、着色剤などを混合し樹脂化させながら発泡させたものである。
【００２６】
このようなクッションパッド１は、額接触部２が上方に位置し、一対の鼻当て用湾曲部３３、３３が額接触部２より下方に位置する格好で、着脱面部１Ａを、ヘッドマウントディスプレイの筐体１０に取り付けられた面ファスナーの他方に押し付けることで取り付ける。この際、各囲い部３が使用者の頭部に沿うよう湾曲される。そして、額接触部２に使用者の額を近付け、一対の鼻当て用湾曲部３３、３３間に使用者の鼻を近付けて接触させる。この後、ヘッドマウントディスプレイの筐体１０をバンドＢを用いて固定する。この状態で、クッションパッド１は、額接触部２が使用者の額に接触され、一対の側方円弧部３１、３１が使用者のこめかみ付近に接触され、一対の平行直線部３２、３２が使用者の頬に接触され、一対の鼻当て用湾曲部３３、３３が使用者の鼻の付け根付近に接触される。
【００２７】
上述したクッションパッド１によれば、使用者の顔面に直接接触される接触面部１Ｂが合成皮革により構成されているから、使用者の汗や皮脂、化粧品や整髪料等の汚れがクッションパッド１の内部まで浸透することがないとともに、クッションパッド１の接触面部１Ｂに汚れが付着したとしても、ウェットティッシュ等で簡単に汚れを拭き取ることができる。従って、汚れを簡単に除去することができ、衛生状態を保ちつつ使用することができる。
【００２８】
さらに、クッションパッド１には、両眼それぞれを囲む略Ｃ字状の囲い部３が設けられていることで、囲い部３内への外部光の侵入を防止することができるとともに、額接触部２及び囲い部３により、ヘッドマウントディスプレイの筐体１０を安定的に支持することができる。
【００２９】
また、額接触部２の厚みが、囲い部３の厚みより厚くなるように形成されている。これによれば、額接触部２が囲い部３に比して、大きなクッション性を有してソフトに額に押し当てられるので、ヘッドマウントディスプレイの筐体１０を安定的に支持しつつ、長時間の使用においても装着感を損なわないようにすることができる。
【００３０】
なお、本考案は、前記実施形態に限定されるものではなく、本発明の目的が達成できる他の構成等を含み、以下に示すような変形等も本発明に含まれる。
【００３１】
前記実施形態では、接触面部１Ｂが合成皮革により構成された例を一例として説明していたが、本考案はこれに限定されるものではない。接触面部は、人工皮革により構成されていてもよい。または、ポリウレタン、ナイロン、ポリエステル等の合成繊維や、これらを組み合わせた素材により構成されていてもよい。または、接触面部は、不織布により構成されていてもよい。これによれば、接触面部に汚れが付着したとしても、汚れを洗い落とすことができる。従って、汚れを簡単に除去することができ、衛生状態を保ちつつ使用することができる。
【００３２】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００３３】
１      クッションパッド
１Ａ    着脱面部
１Ｂ    接触面部
１Ｃ    発泡体
２      額接触部
２ａ    額接触部の直線方向の端
３      囲い部
１０    ヘッドマウントディスプレイの筐体（ヘッドマウントディスプレイ）
Ｘ      直線方向
Ｌ１    額接触部の厚み
Ｌ２    囲い部の厚み
【図１】
0003213221.tif 000003
【図２】
0003213221.tif 000004
【図３】
0003213221.tif 000005
【図４Ａ】
0003213221.tif 000006
【図４Ｂ】
0003213221.tif 000007